(57)【要約】【課題】多様な多彩な情報を利便性よく的確に得るための手段【解決手段】利便性の良いコンビニ、駅の売店にカタログ、情報誌、写真等のサンプルを展示しておく。展示品には、パソコン、携帯電話機、携帯情報機器等と接続可能なコネクターを備えておく。ユーザー、顧客は一目で自分の欲しい情報を展示物より探すことができる。コネクターを顧客の携帯電話機、情報機器に接続すれば、情報源であるウエブ上のＵＲＬが、自動的に顧客の機器に入力される。以降、顧客は定期的に必要な情報を得ることができる。【選択図】          図１
2005025646.tif 000002
【特許請求の範囲】
【請求項１】
情報の伝達システムであって、店舗売店のコーナにカタログ、雑誌、情報誌のサンプルをおいて、
該カタログ、サンプル等に携帯情報機器、パソコンとのインターフェースを行う手段としての接続装置を備えたことを特徴とする情報伝達の方法。
【請求項２】
情報の伝達には、ウエブ上の情報サイトのアドレスを該接続装置より携帯情報機器、パソコンに入力する手段を備えたことを特徴とする情報伝達の方法。
【請求項３】
携帯情報機器、パソコンへウエブサイト上のアドレス入力手段は、情報機器の補助電源ユニットを介して行う手段を備えたことを特徴とする情報伝達の方法。
【発明の詳細な説明】
【０００１】
【発明の属する技術分野】
本発明は、カタログ、情報誌、雑誌の類から情報を収集する方法に関する。現代は、膨大で多様な情報が巷にあふれている。ユーザーの欲する情報は、一箇所だけではなく、いろいろなところに点在しているのが特徴である。ユーザーは、物、サービス、知的情報確保のために各種代理店、書店、スーパマーケット、公官庁、自治体等に足を運ばねばならない。ユーザー、顧客にとって多方面にわたって探すことは大きな負担になっていた。
【０００２】
インターネット上から探す方法もあるが、初めてのユーザーとか特に高齢者にとっては、インターネットによってウエブ上のＵＲＬ（Ｕｎｉｆｏｒｍ  Ｒｅｓｏｕｒｃｅ  Ｌｏｃａｔｏｒｓ）にアクセスするのも面倒でもあって、難しかった。
【０００３】
【従来の技術】
例えば、電話をつかって各方面に照会したり新聞雑誌の広告から必要とする情報を検索していた。あるいは、最寄の公共施設に行って探したりサービス代理店に頼んで情報を取得していた。
【０００４】
【発明が解決しようとする課題】
このためユーザー、顧客は適格な情報が取れず無駄な時間と労力を費やすことが多かった。高齢化社会を迎えた我が国にとって、迅速に適格な情報を取れる手段を提供することは火急の用務になった。
【０００５】
【発明の目的】
本発明は、かかる従来例の有する不都合を改善し、特に最寄のコンビニエンスストア（以下コンビニと称す）、駅の売店のカタログ、チラシ広告から有益な情報が取れることを目的にする。
【０００６】
【課題を解決するための手段】
上記目的を達成するため、請求項１、２記載の発明は、コンビニ、駅の売店等利便性の良い場所で、スペースも小さくとも多彩で豊富な情報がとれるシステムを提供する。人は雑誌、カタログ、写真等眼に見える情報は素早く脳裏に取り込むことができる。例えば、本屋はいつも立ち読みの人で一杯である。本を置くスペースは、限られている。そこで本に限らず専門店が存在する。しかし、専門店を探したり行ったりすることは、大きな負担になる。
【０００７】
本発明では、小スペースでも多彩で豊富な情報がとれるように、利便性のよいコンビニ、駅の売店にカタログ、情報誌、写真の類を多数用意する。それらは、一見して何の情報かがわかる。高齢者、年少者でも見ればすぐ判断がつく。
【０００８】
この情報誌、カタログ、写真には携帯電話機、携帯情報端末機、パソコンとのインターフェース用のコネクターが備えてある。携帯電話機の所持は一般化しており、誰でもがもっている。情報機器にコネクター、例えばＵＳＢ（Ｕｎｉｖｅｒｓａｌ  Ｓｅｒｉａｌ  Ｂｕｓ）を自分自身の携帯電話機に差し込めば、情報発信源であるＵＲＬを自動的に取り込める。
【０００９】
ユーザーは、家の近くのコンビニで自分の眼で見て確かめて、ＵＲＬを取り込めばウエブ上のサイトから必要とする情報は、定期的におくられてくる。
【００１０】
請求項２に記載の発明は、外出先、出張先で携帯電話機の電池がなくなったときに、駅の売店、コンビニで補助電源を購入することがよくある。欲しい情報が書かれたカタログ、包装紙に包まれた電源ユニットを携帯電話機に装着すれば、電源の補充と情報源のＵＲＬが自動的に入力される。
【００１１】
【発明の実施形態】
［第１実施形態］
【００１２】
欲しい情報、品物を好きな時に、適宜得たいという願望を人は、誰でももっている。最近のコンビニの勃興はこれを裏付けている。若者は、最新情報を欲してコンビニ集まる。人が欲する物を並べておくだけでも、スペースに限りはある。欲するもの全ては、とても展示できない。立地条件の良いコンビニのスペースには限りがある。
【００１３】
そこで、コンビニにある雑誌等の陳列棚に情報を記載したカタログを配置して、そのカタログにＵＳＢコネクターを接続しておく。顧客が必要とする情報を、顧客のもっている携帯電話機、携帯情報端末機器につなげば顧客の携帯機器にカタログ情報のＵＲＬが自動的に記憶される。一方、カタログの発信元のサイトには、顧客のメールアドレス、電話番号が記憶される。
【００１４】
図１は、第１実施形態を示す。コンビニ、スーパマーケット、駅の売店等にある雑誌、カタログ類の陳列棚（ラック）の状態を示す。１１は、棚であって、１２〜１４ｍｎは雑誌の見本、情報誌、カタログ情報である。１８は雑誌、カタログを置く支柱である。
【００１５】
１３〜１４ｍｎのカタログ、情報誌には１５のＵＳＢコネクターがついている。顧客は。欲しい情報があれば、コネクター１５を所持している１６の携帯電話機、携帯情報機器の１７のＵＳＢソケットにさしこめば、ＵＲＬが携帯電話機１６に記憶される。
【００１６】
この時、顧客のメールアドレス、電話番号は、カタログ、情報誌の発信もとに１６より送られて、サイトに記憶される。個人情報をサイトに知らせたくなければ、１２〜１４ｍｎのサイトから問いをかけてくるからＮＯと返事をすればよい。ＵＲＬは、顧客の端末機に記憶されているからユーザー、顧客はいつでもアクセスできる。
【００１７】
図１において、１２は趣味、旅行に関するカタログ、情報誌であって、１３は、就職、リクルートに関する情報、１４は、ペットに関する情報を例としてあげてある。その他、ヨットクラブ、天体観測、アマチュア無線、音楽クラブ等多種多様な情報を提供する。
【００１８】
このように、立地条件の良いコンビニは、スペースが狭くても多くの情報を豊富に置く必要がある。これは、老若男女を問わず多くの人達に満足してもらって、集客する意味で商売上重要である。
【００１９】
［第２実施形態］
【００２０】
図２は、第２実施形態を示す。携帯電話機、携帯情報端末機２４の補助電源２２からＵＲＬを記憶する手段に関する。携帯電話機２４は、外出先、出張先で電源がなくなることがよくある。駅の売店、コンビニ等で補助電源が市販されている。この補助電源に情報発信源であるＵＲＬを格納しておいて、顧客が携帯電話機に、２２のように装着した時に携帯電話機２４にＵＲＬを記憶させる。
【００２１】
２２は電源の供給とＵＲＬの発信を行う。ユーザーは、コンビニ、駅の売店の陳列棚２１より欲しい情報発信源のＵＲＬの入った補助電源２２〜２ｍｎのなかから選ぶ。ＵＲＬの情報は、先の第１実施形態にて説明したように求人、求職等のリクルートから趣味、教育等多種にわたる。
【００２２】
補助電源にあるＵＲＬは、補助電源にあるフィルターを介して２４の携帯電話機に記憶される。２２が携帯電話機に装着されると２４は、自身のメールアドレス、電話番号をサイトに発信するかどうかユーザーに聞いてくる。
【００２３】
ＹＥＳと答えれば、ユーザーのアドレスがサイトに発信される。サイトから適宜情報が２４の携帯電話機に発信される。ＮＯと答えればユーザーは、必要なときにＵＲＬをクリックしたとき、適宜必要な情報はとれる。
【００２４】
第１実施形態、第２実施形態ともカタログ、情報誌、補助電源ともサイトの利用にあたっては、無料の場合と有料サイトがある。有料のサイトは、ＵＲＬを携帯電話機に入力する際に聞いてくる。有料が嫌だったらＮＯと答えて拒否すればよい。ＮＯの場合、サービスは受けられない。
【００２５】
ＹＥＳと答えればＵＲＬにアクセスして使った分だけ携帯電話会社、又は近所のコンビニから請求がくる。広告宣伝を含む情報は、ほとんど無料である。求人、求職、文献等の質の高い情報は、有料なところが多い。
【００２６】
［第３実施形態］
【００２７】
図３は、第３実施形態を示す。第１、第２実施形態にて説明した具体例を社会で使用されている状態を示した。３０１は、インターネットを代表とする通信情報網である。３０２は、携帯無線会社、無線インターネット基地局である。３０３は公衆無線電波である。
【００２８】
３１８は、携帯無線会社の専用線で３０４は、そのサイトである。３０５、３０６，３０７は専用サイトである。これらのサイトは、情報の提供、発信源のサイトであって、先に説明したようにユーザー、顧客がＵＲＬを携帯電話機に入力してある。ユーザーは、必要におうじてこのＵＲＬをアクセスして情報を得る。
【００２９】
又、一方的にサイトの方からユーザーの承諾を得て定期的に情報の提供をおこなう。この承諾とは、コンビニ、売店にて情報誌、カタログからＵＲＬを入力する際に、自分自身のアドレスの発信を許容したユーザーに適応される。アドレスを教えなかったユーザーは、ＵＲＬをアクセスした時のみ情報が得られる。
【００３０】
３０８は、情報通信線であって、３０９、３１０は、コンビニ、売店を示す。コンビに、売店にはＵＳＢコネクターを備えた情報誌、カタログ、補助電源が陳列されている。ユーザー、クライアント３１９は、欲する情報のＵＲＬを３１５の携帯電話機、携帯情報機器にＵＳＢ，補助電源より入力する。
【００３１】
コンビニ内は、ホット・スポットになっていて、微弱無線、ＩｒＤＡ（赤外線）によって３１４のアクセス・ポイントに接続できる。３１９のユーザーは、カタログよりＵＲＬを入力する。次に、３１５の携帯無線電話機の画面に自分自身のアドレスの発信を促す。
【００３２】
３１９のユーザーは、同意してＹＥＳのキーを押すと３１４より、自分の選んだサイトにアドレスが送られる。３１７は携帯無線電波、微弱電波、ＩｒＤＡであって、店舗内は無料で使える。
【００３３】
３１１、３１２、３１３、３ｍｎは、店舗、コンビニ以外のホット・スポットであって、この間は、３１６のローミングにより間断なく自動的に３１５の携帯無線電話機が接続しながら、移動ができる。
【００３４】
ホット・スポット内には３１４のアクセスポイントがあって、３１５の携帯電話機との送受信を行う。３１１〜３ｍｎのホット・スポットは、駅構内、電車内、街の広場、ホール等がある。特定のビル内、店舗内でなくてもよい。このような場所、空間があれば第１、第２実施例のような形態が実現できる。
【００３５】
図４は、携帯電話機、携帯情報機器の内部構成を示す図である。
４０１は、システムバスであって、４０３は携帯無線の送受信部である。４０２は、そのアンテナである。近年アンテナの性能は良くなって、今までのようなバー（棒）状のものでなく、プリント・アンテナ、フィルム状のアンテナがあって、機器の外観には出てこないものが多くなった。
【００３６】
４０４は、ブルーツース、ＩｒＤＡのような微弱無線、赤外線通信の送受信ぶである。３０３は、携帯公衆無線電波であって、３１７は微弱無線電波あるいは、赤外線を示す。
【００３７】
４０５はＵＳＢインターフェースを示す。コンビニ、売店等の店舗にあるカタログ、情報誌のコネクター４０６を差し込むと情報誌、カタログにあるＵＲＬが携帯機器に入力される。
【００３８】
４０７は、インターフェース１であって、４０８のキー入力部、４０９のタッチペン入力部、４１０は液晶等の表示パネルをしめす。４１１は、インターフェース２であって、４１２のスピーカ、４１３のマイクロフォンとのインターフェースを行う。
【００３９】
４１４はシステム全体を制御するＣＰＵである。４１５は記憶部であって、ＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ）より構成される。４１６はＵＲＬ専用メモリである。普通は４１５のＲＡＭ領域の一部である。本件では、強調するために独立して表した。
【００４０】
４１７はフィルターであって補助電源４１８の一部である。４１７は４１８の市販されている補助電源に組み込まれている。４１７のフィルターは、ユーザーが欲しいＵＲＬを取り出すためのものである。４１９は、本機器の電源部である。
【００４１】
本システム構成で示すように、コンビニ、売店にてユーザー、クライアントが欲する情報をカタログ、情報誌、雑誌からＵＳＢコネクターからＵＲＬを入力する。又、市販されている補助電源４１７、４１８から欲するＵＲＬを入力できる。
【００４２】
ＵＲＬを自分自身の携帯電話機に入力したユーザーは、必要に応じて情報提供サイトに自分のアドレスを報知して、定期的に情報を入手する。情報の機密性上アドレスを教えられないユーザーは、必要な時にＵＲＬをアクセスできる。
【００４３】
図５は、第１実施形態のフローチャートを示す。第１実施形態は、コンビニ、売店、書店にてカタログ、情報誌、雑誌の類から情報を提供してくれるサイトのＵＲＬを自分自身の携帯情報機器に入力する手段に関するものである。
【００４４】
Ｓ５０１は、コンビニにある陳列棚よりユーザー、顧客は欲しい情報のあるカタログ、雑誌を物色する。Ｓ５０２では、カタログの類を選別して欲しいものを探すステップである。
【００４５】
Ｓ５０３は、ユーザーの該当品目のチェックを行って、Ｓ５０４にてあったかどうか確かめる。無ければ探す。Ｓ５０３とＳ５０４を繰り返す。Ｓ５０５では、ユーザーのさがしていた情報を掲載したカタログ、雑誌があった。そこで付属しているＵＳＢコネクターを自分の携帯電話機に接続して情報を入力する。
【００４６】
この際、ユーザーの携帯電話機にはカタログ、情報誌、雑誌の内容と伴にＵＲＬが入力される。Ｓ５０６でこのプロセスを示した。Ｓ５０７では、自分の携帯電話機にＵＲＬが記憶された。Ｓ５０８は、入力したＵＲＬを取り込みかつ自分のアドレスを情報提供サイトに報知するかどうかの判断をする。
【００４７】
Ｓ５０９では，ユーザーはＵＲＬの受領を許容して、かつサイトに自分のアドレスを報知することに同意した。端末のＹＥＳキーをクリックしてアドレスの発信をうる。アドレスの報知は、キーを押せば空メールが送られてアドレスが相手に伝わる。
【００４８】
Ｓ５０８でサイトに自分のアドレスを知らせたくなければ、ＮＯをクリックすれば、ＵＲＬのみ自分の携帯電話機に記憶される。必要な時だけアクセスすればよい。有料サイトの場合は、使っただけ近くのコンビニ、又は携帯無線会社から通信料金と一緒に請求される。
【００４９】
図６は、第２実施形態を示すフローチャートである。Ｓ６０１では、ユーザーは携帯電話機の補助電源を購入しようとして、売店にて物色している。
Ｓ６０２で、ＵＲＬ付きの補助電源ユニットを探している。欲しい情報の入った電源を見つけている。
【００５０】
Ｓ６０３、Ｓ６０２にて欲するものがあるまで探す。Ｓ６０４で欲しい情報の入った電源ユニットが見つかった。ユーザーは、携帯電話機に補助電源ユニットを装着した。Ｓ６０５では、携帯電話機に補助電源ユニットよりＵＲＬが記憶された。
【００５１】
Ｓ６０６では、ユーザーが同意すれば情報サイトに自分のアドレスを発信する。第１実施形態と同様にＹＥＳキーをクリックすれば空メールが発信して、サイトに報知する。Ｓ６０７では、ユーザーが同意していればＳ６０８にてサイトから情報が送られてくる。
【００５２】
Ｓ６０６にてユーザーが同意しなければＵＲＬも携帯電話機に記憶されない。第１実施形態と異なるのは、本例では補助電源ユニットであってユーザーによっては、緊急に電源のみ欲しい人もいるからである。
【００５３】
ＵＲＬは広告宣伝を伴うものもあって、ユーザーにとってはその分電源ユニットを安価に買えるメリットがある。電源ユニットを介して広告用につかって安価に普及させる目的がある。
【００５４】
【発明の効果】
本発明は、以上のように構成され機能するので、これによると立地条件がよく、狭いスペースのコンビニ、売店に情報を満載したカタログ、情報誌の表紙のみ置くだけで膨大な雑誌、書籍を置いたのと同様になる。サンプルのカタログ、情報誌を見て、ユーザーはＵＳＢコネクターを介して自分の携帯電話機に欲しいＵＲＬを入力できる。
【００５５】
必要な時に情報をＵＲＬより取り込めるのと、必要に応じて自分自身の携帯電話機に定期的に入力される。特に求職活動している人、又求人活動している事業家にとっては都合がよい。
【００５６】
補助電源ユニットからも必要なＵＲＬを入力できるから、緊急時に駅の売店、コンビニからも入手できて利便性に優れたシステムを提供することができる。
【図面の簡単な説明】
【図１】実施形態１のコンビニ陳列棚を示す図である。
【図２】実施形態２の売店に陳列した補助電源ユニットを示す図である。
【図３】実施形態３における社会での使用例を示す図である。
【図４】携帯情報機器の内部構成を示す図である。
【図５】第１実施形態の作用を示すフロー図である。
【図６】第２実施形態の作用を示すフロー図である。
【符号の説明】
１１、２１                      陳列棚
１２、１３、１４ｍｎ            ＵＲＬ付きカタログ、情報誌、雑誌
１５                            ＵＳＢコネクター
１６、２４、３１５              携帯電話機、携帯情報端末機
１７                            ＵＳＢ接続部
１８                            陳列棚ラック、バー
２２、２３、２ｍｎ              ＵＲＬ付き補助電源ユニット
３０１                          情報通信網
３０２                          無線基地局
３０３                          公衆無線電波
３０４                          携帯無線電話会社専用サイト
３０５、３０６、３０７、        情報サイト
３０８                          通信線
３０９、３１０                  コンビニエンスストア、売店
３１１，３１２、３１３、３ｍｎ  ホット・スポット
３１４                          アクセスポイント
３１６                          ローミング
３１７                          微弱電波、ＩｒＤＡ（赤外線通信）
３１８                          専用線
３１９                          ユーザー、クライアント、顧客
４０１                          システムバス
４０２                          アンテナ
４０３                          無線送受信部
４０４                          部弱無線、ＩｒＤＡ送受信部
４０５                          ＵＳＢ端子
４０６                          ＵＳＢコネクター
４０７                          インターフェース１
４０８                          キー入力部
４０９                          ペンタッチ入力部
４１０                          画面
４１１                          インターフェース２
４１２                          スピーカ
４１３                          マイクロフォン
４１４                          中央演算プロセッサー
４１５                          記憶部
４１６                          ＵＲＬメモリ
４１７                          フイルター
４１８                          補助電源ユニット
４１９                          電源部
【図１】
2005025646.tif 000003
【図２】
2005025646.tif 000004
【図３】
2005025646.tif 000005
【図４】
2005025646.tif 000006
【図５】
2005025646.tif 000007
【図６】
2005025646.tif 000008